(57)【要約】【課題】集合住宅において不審者が利用することができないようにし、また不審者と同一の乗りかごに同乗することを排除する防犯性の高いエレベータ装置を提供する。【解決手段】集合住宅の玄関口で訪問先を呼び、訪問先の住人の応答により人数登録を入力して、任意の受付番号を付与され、エレベータホールへの入口ゲートでの受付番号の入力により入口ゲートが開き、入口ゲートを通過する際、人数をチェックし、登録人数と入口ゲートを通過した人数が一致した場合に最も早く利用できるエレベータ乗りかごがエレベータホールで準備し待機し目的階へ直行するようにしたことを特徴とする。【選択図】図１
2005231768.tif 000002
【特許請求の範囲】
【請求項１】
集合住宅の玄関口で訪問先を呼ぶ手段と、訪問先の住居人の応答により人数登録できる入力手段と、人数登録の入力により任意の受付番号を付与され、エレベータホールへの入口ゲートでの該受付番号の入力により入口ゲートが開き、入口ゲートを通過する際、人数をチェックし、登録人数と入口ゲートを通過した人数が一致した場合に、最も早く利用できるエレベータ乗りかごがエレベータホールで待機し目的階へ直行するエレベータ装置。
【請求項２】
玄関口での訪問先を呼ぶ手段、人数登録およびエレベータホール入口ゲートでの受付番号の入力手段としてテンキーで行うことを特徴とする請求項１に記載のエレベータ装置。
【請求項３】
集合住宅の玄関口で暗証番号を入力する手段と、エレベータホールへの入口ゲートでの該暗証番号の入力により入口ゲートが開き、入口ゲートを通過する際、人数をチェックし、登録人数と入口ゲートを通過した人数が一致した場合に、最も早く利用できるエレベータ乗りかごがエレベータホールで待機し目的階へ直行するエレベータ装置。
【請求項４】
玄関口での暗証番号を入力する手段およびエレベータホール入口ゲートでの暗証番号の入力手段としてテンキーで行うことを特徴とする請求項３に記載のエレベータ装置。
【請求項５】
請求項３および請求項４に記載の暗証番号に変えて指紋、虹彩またはＩＤカードとする請求項３および請求項４に記載のエレベータ装置。
【請求項６】
乗りかご内の操作盤において、居住者の場合には暗証番号入力や指紋、虹彩またはＩＤカード入力を、訪問客の場合には受付番号を入力することで、登録されている目的階以外の階床停止ボタンを操作して目的階以外の指定階で乗りかごを停止させることができる請求項１〜５に記載のエレベータ装置。
【請求項７】
エレベータホール入口ゲートで受付番号あるいは暗証番号を再度入力し、または指紋、虹彩またはＩＤカードの操作により、エレベータホール入口ゲートでの人数チェック機能を解除することを特徴とする請求項１〜５に記載のエレベータ装置。
【請求項８】
携帯電話により居住者であることの識別やエレベータ利用人数の入力を行い、または訪問客が予め携帯電話で居住者に連絡し、訪問人数も知らせ、それを受けて居住者からは受付番号を訪問客の携帯電話に知らせることにより玄関口での操作を行うことができる請求項１〜５に記載のエレベータ装置。
【発明の詳細な説明】
【技術分野】
【０００１】
本発明は、集合住宅において不審者が利用することができないようにし、また不審者と同一の乗りかごに同乗することを排除する防犯性の高いエレベータ装置を提供する。
【背景技術】
【０００２】
従来、高層の集合住宅ではエレベータ装置が利用されるような場合に、訪問客に対する防犯システムは、訪問客が共同玄関インターホンより居住者を呼び出し、居住者に許可された場合は共同玄関のオートロックを解錠してもらい、エレベータホールまで進みエレベータ装置に乗り込むのが一般的である。
【０００３】
しかし、オートロックシステムでは、不審者が訪問客と共にエレベータの乗りかご内へ乗込んで侵入することが容易なため防犯システムとしては不十分であり、共同玄関でのオートロックシステムに加えて、エレベータホールにおいても不審者の侵入を妨げるシステムを導入することによって、集合住宅における防犯をより確実なものとすることが求められている。
【０００４】
これまでエレベータに関連した犯罪の多くが一時の間、逃げ出すことのできない密室となり得る乗りかご内にて起こっていること、また、利用者の多くが特に、深夜において同一の乗りかご内にて他人と同乗することに危険性を感じる等の抵抗感があること等を考慮すると、乗りかごに乗り込む前の時点で不審者を認識して、少なくとも不審者と同乗しないことにより犯罪を抑止することが望まれる。
【０００５】
これらの問題の対策として特開平７−２３７８３７号公報には、居住者がエレベータホールで暗証コードを入力、照合し、一致したら乗りかごを呼び乗車人数を入力・登録して乗りかごに乗込み乗車人数を検出（荷重検出等）して比較し、一致すれば目的階へ直行運転することが開示されている。
【０００６】
また、特開平８−１４３２４２号公報には乗り場及び乗りかご内にそれぞれテンキーを設け、目的階へ直行運転を行い異常者が乗りかご内に乗り込んできたとき、乗りかごを特定階に直行運転し、または各階に停止させることにより容易に異常者から逃げることができるエレベータの防犯運転装置が開示されている。
【０００７】
また、特開２００２−３４８０５３号公報にはオートロックが解除された場合、乗りかご
をロビー階にて戸閉め待機させ、信号入力手段からの信号をあらかじめ登録した信号とエレ
ベーター制御盤にて照合し、一致した場合にドアを開けることにより不審者を排除し防犯性
を持たせることが開示されている。
【特許文献１】特開平７−２３７８３７号公報
【特許文献２】特開平８−１４３２４２号公報
【特許文献３】特開２００２−３４８０５３号公報
【発明の開示】
【発明が解決しようとする課題】
【０００８】
集合住宅においてエレベータ装置の利用客が訪問客の場合、玄関入り口において居住者に連絡し、解錠してもらうことによりエレベータホールまで行き、そこでエレベータにより目的階まで行く。不審者が居住者の許可を受けた利用客と共に同時にエレベータに乗り込む場合がある。エレベータ乗りかご内は、乗りかごの走行中、一時の間、逃げ場のない密室状態となり、エレベータ内の犯罪がこの瞬間に多いことに鑑み種々の防犯対策が採られている。これは集合住宅の居住者が利用する場合も起り得る。
【０００９】
しかし、実際には特定の人物を犯罪を起こす危険性のある不審者として認識することは難し
い。単純に外見や行動のみから不審者と決め付けることは、多数の世帯やそこへの訪問客が
集まる集合住宅では不可能であり、エレベータの利便性を妨げることにもなり得る。
そこで、本発明ではエレベータ利用者が自ら利用人数を登録することにより、その登録された利用人数と検出された人数との比較をすることで、不審者の存在の認識に役立てようとするものである。
【００１０】
人数を確認する手段としてモニタカメラによって撮影される映像からパターン認識によって乗車人数を割り出すパターン認識装置を用いたり、エレベータかご内の荷重検出器の荷重検出信号から乗車人数を割出す演算器を用いる方法などを採られている。
しかし、モニタカメラによって撮影される映像からパターン認識によって乗車人数を割り出す方法はコストが大きく、また、エレベータかご内の荷重検出器の荷重検出信号から乗車人数を割出す方法では体重の個人差により正確な人数を割り出すことは困難である。
【課題を解決するための手段】
【００１１】
このような課題を解決するため、本発明の集合住宅におけるエレベータ装置は、例えば訪問客が集合住宅の玄関口で訪問先を呼ぶ手段と、訪問先の住居人の応答により人数登録できる入力手段と、人数登録の入力により任意の受付番号を付与され、エレベータホールへの入口ゲートでその受付番号の入力により入口ゲートが開き、入口ゲートを通過する際、人数をチェックし、登録人数と入口ゲートを通過した人数が一致した場合に、最も早く利用できるエレベータ乗りかごがエレベータホールで待機し目的階へ直行するエレベータ装置を提供する。
【００１２】
受付番号は、１回ごとにランダムに任意に付与されるため、固定した暗証番号のように盗み取られることもなく、またエレベータホールへの入口ゲートで玄関口での登録人数をチェックしているため不審者を排除でき、防犯性がその分一層向上する。玄関口での訪問先を呼ぶ手段、人数登録およびエレベータホールの入口ゲートでの受付番号の入力手段としてテンキーで行うことにより容易に入力が行える。
【００１３】
集合住宅の玄関口で暗証番号を入力する手段と、エレベータホールへの入口ゲートでの暗証番号の入力により入口ゲートが開き、入口ゲートを通過する際、人数をチェックし、登録人数と入口ゲートを通過した人数が一致した場合に最も早く利用できるエレベータ乗りかごがエレベータホールで待機し目的階へ直行するエレベータ装置を提供する。エレベータ装置の利用者が特定の者、例えば主として集合住宅の住居者である場合、各住居者は特定の暗証番号を有し、暗証番号により利用者が限定され、不審者は排除される。また、エレベータホール入口ゲートで玄関口の登録人数をチェックするため防犯性がさらに一層向上する。
【００１４】
玄関口での暗証番号を入力する手段およびエレベータホール入口ゲートでの暗証番号の入力手段としてテンキーで行うことは、前記玄関口での訪問客の場合と同様であり、人数登録およびエレベータホール入口ゲートでの受付番号の入力手段としてテンキーで行うことによりまた暗証番号に変えて、指紋，虹彩またはＩＤカードを利用し、その利用範囲を広げることを特徴とする。
【００１５】
また、乗りかご内の操作盤において、居住者の場合には暗証番号入力や指紋、虹彩またはＩＤカード入力を、訪問客の場合には受付番号を入力することで、登録されている目的階以外の階床停止ボタンを操作して目的階以外の指定階で乗りかごを停止させることができることを特徴とする。非常時に際して任意の最寄階へ停止させるためである。
【００１６】
玄関口での登録者が不審者でないと判断した者にもエレベータ装置の利用できるようにするためエレベータホール入口ゲートで受付番号あるいは暗証番号を再度入力し、または指紋、虹彩またはＩＤカードの操作により、エレベータホール入口ゲートでの人数チェック機能を解除し、利用者の利便性をも向上させることを特徴とする。
【００１７】
携帯電話により居住者であることの識別やエレベータ利用人数の入力を行い、または訪問客が予め携帯電話で居住者に連絡し、訪問人数も知らせ、それを受けて居住者からは受付番号を訪問客の携帯電話に知らせることにより通常、玄関口で行う操作を予め建物の外においても行うことができることを特徴とする。このようにすることにより玄関口での操作を省け、利用者に操作性の自由度を高めることができる。
【発明の効果】
【００１８】
本発明によれば集合住宅の玄関口で訪問客の人数およびランダムに付与された任意の受付番号が登録され、エレベータホールの入口においても人数および受付番号がチェックされるため、登録者以外、例えば不審者によるエレベータ装置の利用を排除されるため、同一の乗りかごに不審者と一緒に乗り合わせることも防止され防犯効果が向上する。
また、受付番号は固定されないその時限りのものであるため、受付番号を盗み取られるこ
ともないため一層防犯効果が向上する。
【００１９】
居住者の場合は暗証番号、指紋、虹彩またはＩＤカードを玄関口およびエレベータホール
の入口において二重にチェックされるため、ロビー等にいる不審者の利用を排除し、防犯
効果が向上する。また待機している乗りかごは目的階に直行運転されるため、本発明による
エレベータ装置は他の目的に利用される機会も減少する。
玄関口での訪問先を呼ぶ手段、暗証番号を入力する手段、人数登録およびエレベータホール
入口ゲートでの受付番号および暗証番号の入力手段としてテンキーで行うことにより容易
に入力が行える。
【００２０】
また、玄関口での登録者以外の者がエレベータ装置を利用する場合に登録者の許可により
利用できるようにエレベータホールの入口において、再度、受付番号等を入力することによ
りエレベータホール入口ゲートでの人数チェック機能を解除し、防犯性を保持しつつエレベ
ータ装置の利用の利便性をも向上させることとする。玄関口での操作に変えて、携帯電話を
利用することにより玄関口での操作を省け、利用者に操作性の自由度を高めることができる。
【発明を実施するための最良の形態】
【００２１】
本発明を実施するための最良の形態を図面を参照しながら説明する。図１は本発明によるエレベータ装置の全体の構成図である。各住戸１から制御装置２を介して玄関口およびエレベータホール入口のそれぞれの操作盤９，１０に接続されている。玄関口の操作盤９には訪問先の呼び出し、暗証番号および利用人数を入力するためのテンキー、利用人数の入力により出力される任意の受付番号の表示器および／または指紋、虹彩またはＩＤカードの入力操作機器が備え付けられ、また、エレベータホール入口の操作盤１０には受付番号、暗証番号を入力するためのテンキーおよび指紋、虹彩および／またはＩＤカードの入力操作機器が備え付けられている。
【００２２】
制御装置２はエレベータ昇降路内にあり、主制御盤３と補助制御盤４から構成されている。
主制御盤３は乗りかごの昇降、ドアの開閉および各乗り場階への停止などエレベータ装置の基本的な運転を制御し、併せて補助制御盤４からの信号を授受し、全体のエレベータ装置の運行をコントロールする制御盤であり、補助制御盤４は玄関口５での訪問先の呼び出し、暗証番号または利用人数を入力し、任意の受付番号を付与し、指紋、虹彩またはＩＤカードの入力操作を行い、またエレベータホール入口での受付番号、暗証番号の入力、指紋、虹彩またはＩＤカードの入力操作を行い、また利用人数のチェック等を円滑に行えるようにコントロールする機能を備えている。
【００２３】
本発明によるエレベータ装置の利用客が居住者である場合を図１および図２、図３を参照して説明する。集合住宅の玄関口５において玄関口５に設けた操作盤９により暗証番号入力し、居住者であることを識別する。入力手段として暗証番号以外に指紋、虹彩またはＩＤカードとすることもできる。暗証番号入力後、エレベータの利用人数を入力・登録する。エレベータの利用人数の入力は、テンキーによる手入力による操作ではなく、集合住宅の玄関口５付近に設けた光電デンサー、カメラ映像による画像解析等の人数検出装置により検出することもできる。
【００２４】
上記の方法以外にも、操作盤９での操作に変えて携帯電話を利用して居住者であることの識別やエレベータ利用人数の入力を行うことで、前記操作を不要とすることもできる。
オートロックの解錠がされると補助制御盤４により、主制御盤３に解錠・部屋番号信号・利用人数を送信される。同時に目的階を登録し、乗りかごを割り当て、乗りかごがロビー階へ走行させ戸閉待機する。
【００２５】
居住者は通路６を通ってエレベータホール入口まで進み、ここでエレベータホール入口の
操作盤１０により暗証番号を入力する。または指紋、虹彩またはＩＤカードにより玄関口５
で登録した居住者であることを識別する。エレベータホール入口に設けられた人数検出装
置１１にて利用者の人数をチェックし、主制御盤３に送信する。エレベータホール入口に設
けられた人数検出装置１１にて利用者の人数をチェックし、主制御盤３に送信する。登録さ
れている集合住宅の玄関口での登録利用人数と、エレベータホール入口に設けられた人数検
出装置１１による情報を主制御盤３にて照合する。照合結果は一致している場合は入口ゲー
ト１２が開き、割当てられたエレベータ乗り場ドア８および乗りかごのドア開状態にして待
機しており、エレベータホール７で居住者は乗りかごに乗り込み目的階へ走行し、到着停止
する。
この入力については、入力までの時間を制限しない。従って、集合住宅の玄関口からエレベータホールの間に設けられているロビーにてくつろぐ時間を持つこともできる。
【００２６】
本発明によるエレベータ装置の利用客が訪問客である場合を図１および図４、図５を参照して説明する。集合住宅の玄関口５において訪問先の部屋番号を玄関口５に設けた操作盤９により入力し居住者を呼び出す。呼び出された住戸１に在住の居住者からの応答によりエレベータの利用人数を入力・登録する。利用人数の入力により操作盤９に設けられた、例えば４桁の表示器にランダムに任意の受付番号が表示される。この受付番号は補助制御盤４に登録される。ここで訪問先の居住者からの応答がない場合は、登録人数を入力しても何ら働かず、エレベータホールへの入口ゲート１２も開かず、エレベータ装置の利用もできない。
【００２７】
また、訪問客が予め携帯電話で居住者に連絡し、訪問人数も知らせ、それを受けて居住者からは受付番号を訪問客の携帯電話に知らせることで、操作盤での操作を不要とすることもできる。また、居住者に連絡する以外にも、その集合住宅専用のインターネットサイトを設け、そこにアクセスして受付番号の取得のための操作をすることもできる。
【００２８】
居住者によりオートロックの解錠がされると補助制御盤４により、主制御盤３に解錠・部屋番号信号・利用人数を送信される。同時に目的階を登録し、乗りかごを割り当て、乗りかごがロビー階へ走行させ戸閉待機する。
【００２９】
訪問客は通路６を通ってエレベータホール入口まで進み、ここでエレベータホール入口の操作盤１０により受付番号を入力する。操作盤１０での受付番号の入力は３回間違えた場合はこの受付番号を消滅させる。これは何度も入力して偶然に入力数字が受付番号と一致し、不審者が通過できエレベータを利用できるのを阻止するためである。エレベータホール入口に設けられた人数検出装置１１にて利用者の人数をチェックし、主制御盤３に送信する。登録されている集合住宅の玄関口での登録利用人数と、エレベータホール入口に設けられた人数検出装置１１による情報を主制御盤３にて照合する。
照合結果は一致している場合は入口ゲート１２が開き、入口ゲート１２を通過する際、人数をチェックし、最も早く利用できるエレベータ装置が割当てられ、割当てられたエレベータ乗り場ドア８および乗りかごのドア開状態にして待機しており、かつドア付近に受付番号の表示等をして案内し、エレベータホール７で訪問客を乗せて目的階へ走行し、到着停止する。
【００３０】
このようにしてエレベータホール入口において不審者の排除を行い、乗りかご内にて不審者と同乗する可能性をなくする。エレベータの乗りかごが目的階へ到達し、扉が開いて乗客が乗りかごから降りた時点で受付番号は登録から消滅する。このように受付番号はランダムに任意に設定され、訪問客の目的が達成された時点で消滅する１回限りの番号であるため暗証番号のように第三者に読み取られて利用されることはないため防犯性が大きく向上する。
【００３１】
なお、エレベータホール入口に設けられたゲート及び通路は一人づつ通ることができ、そ
の通路には光電センサー、カメラ映像による画像解析等の人数検出装置１１にて、通過人数を検出し、登録人数が通過した時点でゲートが閉まる。登録人数より多い場合、ゲートが閉まった後も暗証番号、受付番号を入力することにより人数制限が解除され、ゲートが開き登録人数より多い乗客もゲートを通過することができるようになり、エレベータに搭乗し、人数登録された乗客と共に目的階に行くことができる。また、指紋、虹彩またはＩＤカードの操作によりこれらを行うこともできる。
【００３２】
本発明では集合住宅の玄関口５における居住者の呼出等の操作あるいはエレベータホール入口での操作の終了によって、割当てられる乗りかごの目的階を登録する。これにより、乗りかごは目的階にのみ到着することができるので、特に訪問客の場合に対する集合住宅としての一定の防犯性が確保されている。また、利用者が乗りかご内で目的階を入力する操作が不要でもある。
【００３３】
しかし、非常時に任意の最寄階へ停止させる手段は必要であるため、乗りかご内の操作盤において、居住者の場合には暗証番号入力や指紋、虹彩またはＩＤカード入力を、訪問客の場合には受付番号を入力することで、登録されている目的階以外の階床停止ボタンを操作して停止することを可能とする。
但し、訪問客が任意の階に停止することを悪用して集合住宅としての防犯性が低下することを補完するために、上記の操作が行なわれた場合にはその旨が管理人室や監視センターへ発報される。
【産業上の利用可能性】
【００３４】
本発明のエレベータ装置は集合住宅ばかりでなく、オフィースビル等機密性、防犯性の必要とするいかなる建物にも適用できる。
【図面の簡単な説明】
【００３５】
【図１】本発明によるエレベータ装置の全体の構成図
【図２】居住者が本発明によるエレベータ装置を利用する場合のフローチャート図
【図３】上記フローチャート図（図２の続き）
【図４】訪問客が本発明によるエレベータ装置を利用する場合のフローチャート図
【図５】上記フローチャート図（図４の続き）
【符号の説明】
【００３６】
１    住戸
２    制御装置
３    主制御盤
４    補助制御盤
５    玄関口
６    通路
７    エレベータホール
８    エレベータ乗り場ドア
９    操作盤（集合住宅玄関口）
１０  操作盤（エレベータホール入口）
１１  人数検出装置
１２  入口ゲート
【図１】
2005231768.tif 000003
【図２】
2005231768.tif 000004
【図３】
2005231768.tif 000005
【図４】
2005231768.tif 000006
【図５】
2005231768.tif 000007